(57)【要約】【課題】コネクタの意図しない緩みや外れを防止することにある。【解決手段】ルアーテーパーの裁頭円錐状の接続面を持つ筒状部をそれぞれ有する雄コネクタおよび雌コネクタを具え、前記雄コネクタは、その雄コネクタの筒状部の基部に回動可能に挿通されてその基部との掛合により軸線方向移動を規制されるとともに雌ネジを持つナットを有し、前記雌コネクタは、その雌コネクタの筒状部の先端部から半径方向外方へ突出した突条を有し、前記ナットの雌ネジを前記雌コネクタの先端部の突条に螺合させてそのナットを締め込むことで前記雄コネクタと前記雌コネクタとの接続面同士の嵌合を維持するようにしたロック式ルアーテーパーコネクタにおいて、前記ナットの雌ネジと前記雌コネクタの突条との少なくとも一方が、それらナットの雌ネジと雌コネクタの突条との螺合状態で他方と密接もしくは密に掛合して前記ナットと前記雌コネクタとの相対回動に抵抗を与えるロック部を有することを特徴とするものである。【選択図】図１
2013157610.tif 000002
【特許請求の範囲】
【請求項１】
ルアーテーパーの裁頭円錐状の接続面を外周面に持つ筒状部を有する雄コネクタと、
ルアーテーパーの裁頭円錐状の接続面を内周面に持つ筒状部を有する雌コネクタと、を具え、
前記雄コネクタは、その雄コネクタの筒状部の基部に回動可能に挿通されてその基部との掛合により軸線方向移動を規制されるとともに雌ネジを持つナットを有し、
前記雌コネクタは、その雌コネクタの筒状部の先端部から半径方向外方へ突出した突条を有し、
前記ナットの雌ネジを前記雌コネクタの先端部の突条に螺合させてそのナットを締め込むことで前記雄コネクタと前記雌コネクタとの接続面同士の嵌合を維持するようにしたロック式ルアーテーパーコネクタにおいて、
前記ナットの雌ネジと前記雌コネクタの突条との少なくとも一方が、それらナットの雌ネジと雌コネクタの突条との螺合状態で他方と密接もしくは密に掛合して前記ナットと前記雌コネクタとの相対回動に抵抗を与えるロック部を有することを特徴とするロック式ルアーテーパーコネクタ。
【請求項２】
前記ロック部は、前記雌コネクタの突条だけに設けられていることを特徴とする、請求項１記載のロック式ルアーテーパーコネクタ。
【請求項３】
前記ロック部は、前記ナットの雌ネジだけに設けられていることを特徴とする、請求項１記載のロック式ルアーテーパーコネクタ。
【請求項４】
ルアーテーパーの裁頭円錐状の接続面を外周面に持つ筒状部を有する雄コネクタと、
ルアーテーパーの裁頭円錐状の接続面を内周面に持つ筒状部を有する雌コネクタと、を具え、
前記雄コネクタは、その雄コネクタの筒状部の基部に回動可能に挿通されてその基部との掛合により軸線方向移動を規制されるとともに雌ネジを持つナットを有し、
前記雌コネクタは、その雌コネクタの筒状部の先端部から半径方向外方へ突出した突条を有し、
前記ナットの雌ネジを前記雌コネクタの先端部の突条に螺合させてそのナットを締め込むことで前記雄コネクタと前記雌コネクタとの接続面同士の嵌合を維持するようにしたロック式ルアーテーパーコネクタの、前記雄コネクタにおいて、
前記ナットの雌ネジが、前記ナットの雌ネジと前記雌コネクタの突条との螺合状態でその雌コネクタの突条と密接もしくは密に掛合して前記ナットと前記雌コネクタとの相対回動に抵抗を与えるロック部を有することを特徴とする、請求項１記載のロック式ルアーテーパーコネクタの雄コネクタ。
【請求項５】
ルアーテーパーの裁頭円錐状の接続面を外周面に持つ筒状部を有する雄コネクタと、
ルアーテーパーの裁頭円錐状の接続面を内周面に持つ筒状部を有する雌コネクタと、を具え、
前記雄コネクタは、その雄コネクタの筒状部の基部に回動可能に挿通されてその基部との掛合により軸線方向移動を規制されるとともに雌ネジを持つナットを有し、
前記雌コネクタは、その雌コネクタの筒状部の先端部から半径方向外方へ突出した突条を有し、
前記ナットの雌ネジを前記雌コネクタの先端部の突条に螺合させてそのナットを締め込むことで前記雄コネクタと前記雌コネクタとの接続面同士の嵌合を維持するようにしたロック式ルアーテーパーコネクタの、前記雌コネクタにおいて、
前記雌コネクタの突条が、前記雌コネクタの突条と前記ナットの雌ネジとの螺合状態でそのナットの雌ネジと密接もしくは密に掛合して前記ナットと前記雌コネクタとの相対回動に抵抗を与えるロック部を有することを特徴とする、請求項１記載のロック式ルアーテーパーコネクタの雌コネクタ。
【請求項６】
ルアーテーパーの裁頭円錐状の接続面を外周面に持つ筒状部を有する雄コネクタと、
ルアーテーパーの裁頭円錐状の接続面を内周面に持つ筒状部を有する雌コネクタと、を具え、
前記雄コネクタは、その雄コネクタの筒状部の基部の小径部に回動可能に挿通されてその基部の大径部との掛合により軸線方向移動を規制される掛合部とともに雌ネジを持つナットを有し、
前記雌コネクタは、その雌コネクタの筒状部の先端部から半径方向外方へ突出した突条を有し、
前記ナットの雌ネジを前記雌コネクタの先端部の突条に螺合させてそのナットを締め込むことで前記雄コネクタと前記雌コネクタとの接続面同士の嵌合を維持するようにしたロック式ルアーテーパーコネクタにおいて、
前記ナットの前記掛合部が、前記雄コネクタの筒状部の基部の小径部に回動自在に遊挿されてその基部の大径部との掛合により軸線方向移動を規制され、
前記雄コネクタの、前記ナットの掛合部と前記筒状部の基部の大径部との少なくとも一方が、それらナットの掛合部と筒状部の基部の大径部との掛合状態での他方との相対回動の摩擦トルクを軽減させる摩擦トルク軽減部を有することを特徴とするロック式ルアーテーパーコネクタ。
【請求項７】
前記摩擦トルク軽減部は、前記ナットの掛合部に、前記雄コネクタの筒状部の基部の大径部に向けて突設された突起を有することを特徴とする、請求項６記載のロック式ルアーテーパーコネクタ。
【請求項８】
前記摩擦トルク軽減部は、前記ナットの掛合部に、前記雄コネクタの筒状部の基部の大径部に向けて設けられた低摩擦材を有することを特徴とする、請求項６記載のロック式ルアーテーパーコネクタ。
【請求項９】
前記摩擦トルク軽減部は、前記筒状部の基部の大径部に、前記ナットの掛合部に向けて突設された突起を有することを特徴とする、請求項６記載のロック式ルアーテーパーコネクタ。
【請求項１０】
ルアーテーパーの裁頭円錐状の接続面を外周面に持つ筒状部を有する雄コネクタと、
ルアーテーパーの裁頭円錐状の接続面を内周面に持つ筒状部を有する雌コネクタと、を具え、
前記雄コネクタは、その雄コネクタの筒状部の基部の小径部に回動可能に挿通されてその基部の大径部との掛合により軸線方向移動を規制される掛合部とともに雌ネジを持つナットを有し、
前記雌コネクタは、その雌コネクタの筒状部の先端部から半径方向外方へ突出した突条を有し、
前記ナットの雌ネジを前記雌コネクタの先端部の突条に螺合させてそのナットを締め込むことで前記雄コネクタと前記雌コネクタとの接続面同士の嵌合を維持するようにしたロック式ルアーテーパーコネクタの、前記雄コネクタにおいて、
前記ナットの前記掛合部が、前記筒状部の基部の小径部に回動自在に遊挿されてその基部の大径部との掛合により軸線方向移動を規制され、
前記ナットの掛合部と前記筒状部の基部の大径部との少なくとも一方が、それらナットの掛合部と筒状部の基部の大径部との掛合状態での他方との相対回動の摩擦トルクを軽減させる摩擦トルク軽減部を有することを特徴とする、請求項６記載のロック式ルアーテーパーコネクタの雄コネクタ。
【発明の詳細な説明】
【技術分野】
【０００１】
この発明は、医療機器や理化学機器等における管路の接続に用いられるロック式ルアーテーパーコネクタ並びにそのロック式ルアーテーパーコネクタの雄コネクタおよび雌コネクタに関するものである。
【背景技術】
【０００２】
ルアーテーパーコネクタとは、ＩＳＯ（国際標準化機構）５９４−１で基準を規定されたもので、６％テーパー（１９世紀のドイツ国医療機器メーカ名に由来して「ルアーテーパー」と呼ばれている）の裁頭円錐状の接続面を外周面に持つ筒状部を有する雄コネクタと、そのルアーテーパーの裁頭円錐状の接続面を内周面に持つ筒状部を有する雌コネクタとを組み合わせたものであり、雌コネクタに雄コネクタを差し込んでルアーテーパーの接続面同士を密に嵌合させるだけで気密な接続が簡単にできるため、医療機器や理化学機器等の管路の接続に多用されている。【０００３】
そしてロック式ルアーテーパーコネクタとは、上記ルアーテーパーコネクタの意図しない緩みや外れを防止するための構造を持つもので、例えばＩＳＯ５９４−２で基準を規定されたものでは、図１４（ａ），（ｂ）および（ｃ）に雌コネクタの平面図、正面図および縦断面図を示すとともに、図１４（ｄ）に雄コネクタの縦断面図を示すように、雄コネクタ１が、ルアーテーパーの裁頭円錐状の接続面２ａを外周面に持つ筒状部２と、その筒状部２の基部の小径部２ｂに回動可能に挿通されてその基部２ｂの大径部である外周フランジ２ｃとの掛合により軸線方向移動を規制される掛合部３ｅとともに二条ネジの雌ネジ３ａを持つナット３とを有し、また雌コネクタ４が、ルアーテーパーの裁頭円錐状の接続面５ａを内周面に持つ筒状部５と、その筒状部５の先端部から互いに対抗する半径方向外方へ一体に突出した二つの突条６とを有し、雄コネクタ１のナット３の二条ネジの雌ネジ３ａを雌コネクタ４の先端部の二つの突条６に螺合させてそのナット３を締め込むことで雄コネクタ１と雌コネクタ４との接続面２ａ，５ａ同士の密な嵌合を維持するようにしている。【０００４】
しかしながら、このＩＳＯ５９４−２で規定されたロック式ルアーテーパーコネクタでは、ナット３の掛合部３ｅが、雄コネクタ１の筒状部２の基部の小径部２ｂに密に挿通されるとともにその基部の大径部である外周フランジ２ｃと密接して、ナット３が雄コネクタ１の筒状部２と共回りし易くなっている場合に、雌コネクタ４と雄コネクタ１との一方を誤って他方に対して捻ってしまうと、ナット３の雌ネジ３ａと雌コネクタ４の突条６との螺合状態が緩んでコネクタの意図しない緩みや外れを生ずることがあり、特に、雌コネクタ４側が三方活栓等の大きな構造体となっていて雄コネクタ１側が捻れた場合等に、その構造体が捩れに追従できないことからコネクタの緩みや外れを生じやすいという問題があった。【０００５】
このため従来、雄コネクタ１の筒状部２の基部に接続面２ａを覆って先端部に向かう切欠きを持つ筒状のカラー部を設けるとともに、雌コネクタ４の筒状部５の先端部に突条６の代わりに直径方向に突出する突出部を設け、雌コネクタ４に雄コネクタ１を挿入する際に雌コネクタ４の突出部を雄コネクタ１のカラー部の切欠きに嵌合させて雌コネクタ４と雄コネクタ１との接合面５ａ，２ａを相互に回り止めし、さらに雄コネクタ１にカラー部を覆うように設けたナット３を、雌コネクタ４の筒状部５の基部寄りに設けた突条６と螺号させて、ルアーテーパーコネクタの意図しない緩みや外れを防止するようにしたロック式ルアーテーパーコネクタも提案されている（特開２００９−１８９６３９号公報）。
【発明の概要】
【発明が解決しようとする課題】
【０００６】
しかしながら上記特許文献記載の従来のロック式ルアーテーパーコネクタでは、雌コネクタ４と雄コネクタ１との接合面５ａ，２ａを相互に回り止めしているものの、それらに対してナット３を回り止めしていないため、ナット３が手で持たれたりして固定された状態で雌コネクタ４と雄コネクタ１との一方が捻られたり、あるいは雌コネクタ４と雄コネクタ１との一方が固定された状態でナット３に捻り力が加わったりすると、雌コネクタ４と雄コネクタ１とに対してナット３が相対的に回動し、ナット３の雌ネジ３ａと雌コネクタ４の突条６との螺合状態が緩んでコネクタの意図しない緩みや外れを生じてしまうという問題があった。【０００７】
また、雄コネクタ１のカラー部の切欠きをナット３が覆っているため、雌コネクタ４の突出部を雄コネクタ１のカラー部の切欠きに嵌合させるのが容易でなく、その嵌合をさせずに誤ってナット３を締め込んでしまうと、雌コネクタ４の突出部が雄コネクタ１のカラー部の先端面に当接してルアーテーパーコネクタの接続が不十分になるという問題もあった。【０００８】
そして上記の問題を回避するために、ナット３をスライドさせてコネクタ１のカラー部の切欠きを露出させ得るようにすることも考えられるが、そのようにしても、雌コネクタ４の突出部が小さいため、依然として雌コネクタ４の突出部を雄コネクタ１のカラー部の切欠きに嵌合させるのが容易でなく、しかも上記のようにすると、雄コネクタ１の基部の小径部２ｂをナット３のスライド分長くする必要があって雄コネクタ１が長くなってしまうという問題があった。
【課題を解決するための手段】
【０００９】
この発明は、上記従来のロック式ルアーテーパーコネクタの課題を有利に解決するものであり、この発明の第１の態様におけるロック式ルアーテーパーコネクタは、
ルアーテーパーの裁頭円錐状の接続面を外周面に持つ筒状部を有する雄コネクタと、
ルアーテーパーの裁頭円錐状の接続面を内周面に持つ筒状部を有する雌コネクタと、を具え、
前記雄コネクタは、その雄コネクタの筒状部の基部に回動可能に挿通されてその基部との掛合により軸線方向移動を規制されるとともに雌ネジを持つナットを有し、
前記雌コネクタは、その雌コネクタの筒状部の先端部から半径方向外方へ突出した突条を有し、
前記ナットの雌ネジを前記雌コネクタの先端部の突条に螺合させてそのナットを締め込むことで前記雄コネクタと前記雌コネクタとの接続面同士の嵌合を維持するようにしたロック式ルアーテーパーコネクタにおいて、
前記ナットの雌ネジと前記雌コネクタの突条との少なくとも一方が、それらナットの雌ネジと雌コネクタの突条との螺合状態で他方と密接もしくは掛合して前記ナットと前記雌コネクタとの相対回動に抵抗を与えるロック部を有することを特徴とするものである。【００１０】
また、この発明の第１の態様におけるロック式ルアーテーパーコネクタの雄コネクタは、
ルアーテーパーの裁頭円錐状の接続面を外周面に持つ筒状部を有する雄コネクタと、
ルアーテーパーの裁頭円錐状の接続面を内周面に持つ筒状部を有する雌コネクタと、を具え、
前記雄コネクタは、その雄コネクタの筒状部の基部に回動可能に挿通されてその基部との掛合により軸線方向移動を規制されるとともに雌ネジを持つナットを有し、
前記雌コネクタは、その雌コネクタの筒状部の先端部から半径方向外方へ突出した突条を有し、
前記ナットの雌ネジを前記雌コネクタの先端部の突条に螺合させてそのナットを締め込むことで前記雄コネクタと前記雌コネクタとの接続面同士の嵌合を維持するようにしたロック式ルアーテーパーコネクタの、前記雄コネクタにおいて、
前記ナットの雌ネジが、前記ナットの雌ネジと前記雌コネクタの突条との螺合状態でその雌コネクタの突条と密接もしくは掛合して前記ナットと前記雌コネクタとの相対回動に抵抗を与えるロック部を有することを特徴とするものである。【００１１】
そして、この発明の第１の態様におけるロック式ルアーテーパーコネクタの雌コネクタは、
ルアーテーパーの裁頭円錐状の接続面を外周面に持つ筒状部を有する雄コネクタと、
ルアーテーパーの裁頭円錐状の接続面を内周面に持つ筒状部を有する雌コネクタと、を具え、
前記雄コネクタは、その雄コネクタの筒状部の基部に回動可能に挿通されてその基部との掛合により軸線方向移動を規制されるとともに雌ネジを持つナットを有し、
前記雌コネクタは、その雌コネクタの筒状部の先端部から半径方向外方へ突出した突条を有し、
前記ナットの雌ネジを前記雌コネクタの先端部の突条に螺合させてそのナットを締め込むことで前記雄コネクタと前記雌コネクタとの接続面同士の嵌合を維持するようにしたロック式ルアーテーパーコネクタの、前記雌コネクタにおいて、
前記雌コネクタの突条が、前記雌コネクタの突条と前記ナットの雌ネジとの螺合状態でそのナットの雌ネジと密接もしくは掛合して前記ナットと前記雌コネクタとの相対回動に抵抗を与えるロック部を有することを特徴とするものである。【００１２】
かかるこの発明の第１の態様におけるロック式ルアーテーパーコネクタ並びにその雄コネクタおよび雌コネクタにあっては、雌コネクタに雄コネクタを差し込んでルアーテーパーの接続面同士を密に嵌合させることで気密な接続が達成される。また、雄コネクタの筒状部の基部に回動可能に挿通されてその基部との掛合により軸線方向移動を規制されるナットの雌ネジを、雌コネクタの先端部の突条に螺合させてそのナットを締め込むことで、雄コネクタと雌コネクタとの接続面同士の密な嵌合が維持される。そしてナットの雌ネジと雌コネクタの突条との少なくとも一方に設けられたロック部が、それらナットの雌ネジと雌コネクタの突条との螺合状態で他方と密接もしくは掛合してナットと雌コネクタとの相対回動に抵抗を与える。【００１３】
従って、この発明の第１の態様におけるロック式ルアーテーパーコネクタ並びにその雄コネクタおよび雌コネクタによれば、ナットと雄コネクタとの一方が手で持たれたりして固定された状態で他方が捻られようとしても、あるいは雌コネクタと雄コネクタとの一方が固定された状態で他方のコネクタまたはナットに捻り力が加わっても、さらには雌コネクタが固定された状態で雄コネクタに捻り力が加わってナットが雄コネクタと共回りしようとしても、ロック部がナットと雌コネクタとの相対回動に抵抗を与えるので、雌コネクタに対してナットが回動してしまうことがないため、ナットの雌ネジと雌コネクタの突条との螺合状態が緩んでコネクタの意図しない緩みや外れを生じてしまうのを防止することができる。【００１４】
しかも、この発明の第１の態様におけるロック式ルアーテーパーコネクタ並びにその雄コネクタおよび雌コネクタによれば、ナットを締め込むだけでロック部がナットと雌コネクタとの相対回動に抵抗を与えるので、コネクタの意図しない緩みや外れを防止するためにルアーテーパーコネクタの接続が不十分になるということもない。【００１５】
なお、この発明の第１の態様のロック式ルアーテーパーコネクタにおいては、前記ロック部は、前記雌コネクタの突条だけに設けられていても良く、この場合には雄コネクタは通常のナットを有する従来のもので済むので、従来の雄コネクタを用いてこの発明のロック式ルアーテーパーコネクタを構成することができる。【００１６】
また、この発明の第１の態様のロック式ルアーテーパーコネクタにおいては、前記ロック部は、前記ナットの雌ネジだけに設けられていても良く、この場合には雌コネクタは通常の突条を有する従来のもので済むので、従来の雌コネクタを用いてこの発明のロック式ルアーテーパーコネクタを構成することができる。【００１７】
一方、この発明の第２の態様におけるロック式ルアーテーパーコネクタは、
ルアーテーパーの裁頭円錐状の接続面を外周面に持つ筒状部を有する雄コネクタと、
ルアーテーパーの裁頭円錐状の接続面を内周面に持つ筒状部を有する雌コネクタと、を具え、
前記雄コネクタは、その雄コネクタの筒状部の基部の小径部に回動可能に挿通されてその基部の大径部との掛合により軸線方向移動を規制される掛合部とともに雌ネジを持つナットを有し、
前記雌コネクタは、その雌コネクタの筒状部の先端部から半径方向外方へ突出した突条を有し、
前記ナットの雌ネジを前記雌コネクタの先端部の突条に螺合させてそのナットを締め込むことで前記雄コネクタと前記雌コネクタとの接続面同士の嵌合を維持するようにしたロック式ルアーテーパーコネクタにおいて、
前記ナットの前記掛合部が、前記雄コネクタの筒状部の基部の小径部に回動自在に遊挿されてその基部の大径部との掛合により軸線方向移動を規制され、
前記雄コネクタの、前記ナットの掛合部と前記筒状部の基部の大径部との少なくとも一方が、それらナットの掛合部と筒状部の基部の大径部との掛合状態での他方との相対回動の摩擦トルクを軽減させる摩擦トルク軽減部を有することを特徴とするものである。【００１８】
また、この発明の第２の態様におけるロック式ルアーテーパーコネクタの雄コネクタは、
ルアーテーパーの裁頭円錐状の接続面を外周面に持つ筒状部を有する雄コネクタと、
ルアーテーパーの裁頭円錐状の接続面を内周面に持つ筒状部を有する雌コネクタと、を具え、
前記雄コネクタは、その雄コネクタの筒状部の基部の小径部に回動可能に挿通されてその基部の大径部との掛合により軸線方向移動を規制される掛合部とともに雌ネジを持つナットを有し、
前記雌コネクタは、その雌コネクタの筒状部の先端部から半径方向外方へ突出した突条を有し、
前記ナットの雌ネジを前記雌コネクタの先端部の突条に螺合させてそのナットを締め込むことで前記雄コネクタと前記雌コネクタとの接続面同士の嵌合を維持するようにしたロック式ルアーテーパーコネクタの、前記雄コネクタにおいて、
前記ナットの前記掛合部が、前記筒状部の基部の小径部に回動自在に遊挿されてその基部の大径部との掛合により軸線方向移動を規制され、
前記ナットの掛合部と前記筒状部の基部の大径部との少なくとも一方が、それらナットの掛合部と筒状部の基部の大径部との掛合状態での他方との相対回動の摩擦トルクを軽減させる摩擦トルク軽減部を有することを特徴とするものである。【００１９】
かかるこの発明の第２の態様におけるロック式ルアーテーパーコネクタ並びにその雄コネクタにあっては、雌コネクタに雄コネクタを差し込んでルアーテーパーの接続面同士を密に嵌合させることで気密な接続が達成される。また、雄コネクタの筒状部の基部の小径部に回動可能に挿通されてその基部の大径部との掛合により軸線方向移動を規制される掛合部を有するナットの雌ネジを、雌コネクタの先端部の突条に螺合させてそのナットを雌コネクタに締め込むことで、雄コネクタと雌コネクタとの接続面同士の密な嵌合が維持される。そしてナットの掛合部が、雄コネクタの筒状部の基部の小径部に回動自在に遊挿され、かつ、雄コネクタの、前記ナットの掛合部と前記筒状部の基部の大径部との少なくとも一方が有する摩擦トルク軽減部が、それらナットの掛合部と筒状部の基部の大径部との掛合状態での他方との相対回動の摩擦トルクを軽減させる。【００２０】
従って、この発明の第２の態様におけるロック式ルアーテーパーコネクタ並びにその雄コネクタによれば、雄コネクタの筒状部あるいはそこにつながれたチューブ等を誤って雌コネクタに対して捻ってしまっても、ナットの掛合部が雄コネクタの筒状部の基部の小径部に回動自在に遊挿され、かつ、摩擦トルク軽減部がナットの掛合部と筒状部の基部の大径部との相対回動の摩擦トルクを軽減させることから、雄コネクタの筒状部とナットとの共回りが防止されるので、ナットの雌ネジと雌コネクタの突条との螺合状態が緩んでコネクタの意図しない緩みや外れが生ずるのを防止することができる。【００２１】
しかも、この発明の第２の態様におけるロック式ルアーテーパーコネクタ並びにその雄コネクタによれば、雄コネクタの筒状部の基部の小径部に遊挿したナットを雌コネクタに締め込むだけで、そのナットの遊挿された掛合部と摩擦トルク軽減部とにより雄コネクタの筒状部とナットとの共回りが防止されるので、コネクタの意図しない緩みや外れを防止するためにルアーテーパーコネクタの接続が不十分になったり雄コネクタが長くなったりするということもない。【００２２】
なお、この発明の第２の態様のロック式ルアーテーパーコネクタ並びにその雄コネクタにおいては、前記摩擦トルク軽減部は、前記ナットの掛合部に、前記雄コネクタの筒状部の基部の大径部に向けて突設された例えば環状突条等の突起を有していても良く、この場合には、雄コネクタの筒状部は従来のもので済み、雌コネクタも従来のもので済むので、この発明のロック式ルアーテーパーコネクタを安価に構成することができる。【００２３】
また、この発明の第２の態様のロック式ルアーテーパーコネクタ並びにその雄コネクタにおいては、前記摩擦トルク軽減部は、前記ナットの掛合部に、前記雄コネクタの筒状部の基部の大径部に向けて設けられた例えばフッ素樹脂コーティング層あるいはフッ素樹脂シート等の低摩擦材を有していても良く、この場合にも、雄コネクタの筒状部は従来のもので済み、雌コネクタも従来のもので済むので、この発明のロック式ルアーテーパーコネクタを安価に構成することができる。【００２４】
そしてこの発明の第２の態様のロック式ルアーテーパーコネクタ並びにその雄コネクタにおいては、前記摩擦トルク軽減部は、前記筒状部の基部の大径部に、前記ナットの掛合部に向けて突設された例えば環状突条等の突起を有していても良く、この場合には、雄コネクタのナットは従来のもので済み、雌コネクタも従来のもので済むので、この発明のロック式ルアーテーパーコネクタを安価に構成することができる。
【図面の簡単な説明】
【００２５】
【図１】（ａ），（ｂ）および（ｃ）は、この発明の第１の態様のロック式ルアーテーパーコネクタの第１実施例におけるこの発明の第１の態様の雌コネクタの一実施例の構成を示す平面図、正面図および縦断面図である。
【図２】（ａ）および（ｂ）は、上記実施例のロック式ルアーテーパーコネクタにおける雌コネクタを背面側から見て示す斜視図およびその雌コネクタと通常の雄コネクタとの接続状態を示す縦断面図である。
【図３】（ａ），（ｂ）および（ｃ）は、この発明の第１の態様のロック式ルアーテーパーコネクタの第２実施例におけるこの発明の第１の態様の雌コネクタの一実施例の構成を示す平面図、正面図および縦断面図である。
【図４】（ａ）および（ｂ）は、上記実施例のロック式ルアーテーパーコネクタにおける雌コネクタを背面側から見て示す斜視図およびその雌コネクタと通常の雄コネクタとの接続状態を示す縦断面図である。
【図５】（ａ），（ｂ）および（ｃ）は、この発明の第１の態様のロック式ルアーテーパーコネクタの第３実施例におけるこの発明の第１の態様の雌コネクタの一実施例の構成を示す平面図、正面図および縦断面図である。
【図６】（ａ）および（ｂ）は、上記実施例のロック式ルアーテーパーコネクタにおける雌コネクタを背面側から見て示す斜視図およびその雌コネクタと通常の雄コネクタとの接続状態を示す縦断面図である。
【図７】（ａ），（ｂ）および（ｃ）は、この発明の第１の態様のロック式ルアーテーパーコネクタの第４実施例におけるこの発明の第１の態様の雌コネクタの一実施例の構成を示す平面図、正面図および縦断面図である。
【図８】（ａ）および（ｂ）は、上記実施例のロック式ルアーテーパーコネクタにおける雌コネクタを正面側から見て示す斜視図およびその雌コネクタと通常の雄コネクタとの接続状態を示す縦断面図である。
【図９】（ａ）および（ｂ）は、この発明の第１の態様のロック式ルアーテーパーコネクタの第５実施例におけるこの発明の第１の態様の雄コネクタの一実施例のナットの構成を示す縦断面図およびそのナットを持つ雄コネクタと通常の雌コネクタとの接続状態を示す縦断面図である。
【図１０】（ａ），（ｂ）および（ｃ）は、この発明の第１の態様のロック式ルアーテーパーコネクタの第６実施例におけるこの発明の第１の態様の雄コネクタの一実施例のナットの構成を示す正面図並びに縦断面図およびそのナットを持つ雄コネクタと通常の雌コネクタとの接続状態を示す縦断面図である。
【図１１】（ａ）および（ｂ）は、この発明の第２の態様のロック式ルアーテーパーコネクタの第１実施例におけるこの発明の第２の態様の雄コネクタの第１実施例のナットの構成を示す正面図および縦断面図であり、（ｃ）は、そのナットを有する雄コネクタと通常の雌コネクタとの接続状態を示す縦断面図である。
【図１２】（ａ）および（ｂ）は、この発明の第２の態様のロック式ルアーテーパーコネクタの第２実施例におけるこの発明の第２の態様の雄コネクタの第２実施例のナットの構成を示す正面図および縦断面図であり、（ｃ）は、そのナットを有する雄コネクタと通常の雌コネクタとの接続状態を示す縦断面図である。
【図１３】（ａ）および（ｂ）は、この発明の第２の態様のロック式ルアーテーパーコネクタの第３実施例におけるこの発明の第２の態様の雄コネクタの第３実施例の筒状部およびナットの構成を示す縦断面図であり、（ｃ）は、その筒状部およびナットを有する雄コネクタと通常の雌コネクタとの接続状態を示す縦断面図である。
【図１４】（ａ），（ｂ），（ｃ）および（ｄ）は、従来のロック式ルアーテーパーコネクタにおける雌コネクタの構成を示す平面図、正面図並びに縦断面図およびその雌コネクタと接続される雄コネクタを示す縦断面図である。
【発明を実施するための形態】
【００２６】
以下、この発明の実施の形態を図面に基づく実施例によって詳細に説明する。ここに、図１（ａ），（ｂ）および（ｃ）は、この発明の第１の態様のロック式ルアーテーパーコネクタの第１実施例におけるこの発明の第１の態様の雌コネクタの一実施例の構成を示す平面図、正面図および縦断面図、また図２（ａ）および（ｂ）は、上記実施例のロック式ルアーテーパーコネクタにおける雌コネクタを背面側から見て示す斜視図およびその雌コネクタと通常の雄コネクタとの接続状態を示す縦断面図であり、図中、従来例と同様の部分はそれと同一の符号にて示す。
【００２７】
すなわちこの第１実施例のロック式ルアーテーパーコネクタも、ルアーテーパー（６％テーパー）の裁頭円錐状の接続面２ａを外周面に持つ筒状部２を有するプラスチック製の雄コネクタ１と、ルアーテーパーの裁頭円錐状の接続面５ａを内周面に持つ筒状部５を有するプラスチック製の雌コネクタ４とを具え、上記雄コネクタ１はまた、その雄コネクタ１の筒状部２の基部２ｂに回動可能に挿通されてその基部２ｂの外周フランジ２ｃとの掛合により軸線方向移動を規制されるとともに二条ネジの雌ネジ３ａを持つプラスチック製のナット３を有し、一方、上記雌コネクタ４はまた、その雌コネクタ４の筒状部５の先端部から互いに対抗する半径方向外方へ一体に突出するとともに各々周方向に延在する、二条ネジの雄ネジの一部としての２つの突条６を有し、そのナット３の二条ネジの雌ネジ３ａを雌コネクタ４の先端部の２本の突条６に螺合させてそのナット３を締め込むことで雄コネクタ１と雌コネクタ４との接続面２ａ，５ａ同士の密な嵌合を維持するようにしたものである。
【００２８】
しかしてこの第１実施例のロック式ルアーテーパーコネクタは、従来のものと異なり、雌コネクタ４の雄ネジとなる突条６が、雄コネクタ１のナット３の雌ネジ３ａと雌コネクタ４の突条６との螺合状態でナット３の雌ネジ３ａと密に掛合してナット３と雌コネクタ４との相対回動に抵抗を与えるロック部としての、例えば突条６より低い高さの例えば角棒状の２本のロック突起７を有しており、これらのロック突起７はそれぞれ、突条６の戻り側フランク面（図１（ａ）では上向きの側面）から筒状部５の外周面に亘ってそれら筒状部５および突条６と一体に突設されて筒状部５の軸線方向へ延在している。
【００２９】
さらに、この第１実施例のロック式ルアーテーパーコネクタは、雌コネクタ４の筒状部５が、各ロック突起７の両側に位置して筒状部５の軸線方向へ延在するスリット５ｂを有しており、これにより、各ロック突起７およびその近傍の筒状部５が他の部分から周方向に切り離されて、半径方向へ弾性変形され易くなっている。
【００３０】
かかる構成を具えるこの第１実施例のロック式ルアーテーパーコネクタにあっては、雌コネクタ４に雄コネクタ１の筒状部２を差し込んでルアーテーパーの接続面５ａ，２ａ同士を密に嵌合させることで、コネクタの気密な接続が達成される。また、雄コネクタ１の筒状部２の基部２ｂに回動可能に挿通されてその基部２ｂの外周フランジ２ｃとの掛合により軸線方向移動を規制されるナット３の二条ネジの雌ネジ３ａを、雌コネクタ４の筒状部５の先端部の２つの突条６に螺合させてそのナット３を締め込むことで、雄コネクタ１と雌コネクタ４との接続面５ａ，２ａ同士の密な嵌合が維持される。
【００３１】
そしてここではナット３の雌ネジ３ａと雌コネクタ４の突条６とのうちで突条６のみに設けられた２つのロック突起７が、それらナット３の雌ネジ３ａと雌コネクタ４の突条６との螺合状態でナット３の雌ネジ３ａのネジ山を押し込まれて弾性的若しくは弾塑性的に変形し、その雌ネジ３ａのネジ山と密に掛合してナット３と雌コネクタ４との相対回動に抵抗を与えるとともに、それら２つのロック突起７の半径方向内方にそれぞれ位置する筒状部５の部分の接続面５ａを雄コネクタ１の筒状部２の接続面２ａに押し付けて雄コネクタ１の筒状部２を挟持する。
【００３２】
従って、この実施例のロック式ルアーテーパーコネクタ並びにその雌コネクタ４によれば、ナット３と雄コネクタ１の筒状部２との一方が手で持たれたりして固定された状態で他方が捻られようとしても、あるいは雌コネクタ４と雄コネクタ１との一方が固定された状態で他方のコネクタまたはナット３に捻り力が加わっても、さらには雌コネクタ４が固定された状態で雄コネクタ１に捻り力が加わってナット３が雄コネクタ１と共回りしようとしても、ロック突起７がナット３と雌コネクタ４との相対回動に抵抗を与えるので雌コネクタ４に対してナット３が回動してしまうことがないため、ナット３の雌ネジ３ａと雌コネクタ４の突条６との螺合状態が緩んでコネクタの意図しない緩みや外れを生じてしまうのを防止することができる。
【００３３】
しかも、この実施例のロック式ルアーテーパーコネクタ並びにその雌コネクタ４によれば、ナット３を締め込むだけでロック突起７がナット３と雌コネクタ４との相対回動に抵抗を与えるので、コネクタの意図しない緩みや外れを防止するためにルアーテーパーコネクタの接続が不十分になるということもない。また、ロック突起７で押された雌コネクタ４の筒状部５が雄コネクタ１の筒状部２を挟持して、雄コネクタ１の筒状部２と雌コネクタ４との相対回動にも抵抗を与えるので、例え雌コネクタ４と雄コネクタ１の筒状部２との一方が捻られても、ナット３の雌ネジ３ａと雌コネクタ４の突条６との螺合状態が緩んでコネクタの意図しない緩みや外れを生じてしまうのを防止することができる。
【００３４】
さらに、この実施例のロック式ルアーテーパーコネクタによれば、ロック突起７は、雄コネクタ１と雌コネクタ４との両方でなく雌コネクタ４の突条６だけに設けられていることから、雄コネクタ１は通常のナット３を有する従来のもので済むので、従来の雄コネクタ１を用いてこの発明のロック式ルアーテーパーコネクタを構成し、この発明の効果を奏することができる。
【００３５】
図３（ａ），（ｂ）および（ｃ）は、この発明の第１の態様のロック式ルアーテーパーコネクタの第２実施例におけるこの発明の第１の態様の雌コネクタの一実施例の構成を示す平面図、正面図および縦断面図、また図４（ａ）および（ｂ）は、上記実施例のロック式ルアーテーパーコネクタにおける雌コネクタを背面側から見て示す斜視図およびその雌コネクタと通常の雄コネクタとの接続状態を示す縦断面図であり、図中、先の実施例と同様の部分はそれと同一の符号にて示す。
【００３６】
すなわち、この第２実施例のロック式ルアーテーパーコネクタは、ロック部としての２つのロック突起７がそれぞれ、先に実施例におけるロック突起７よりも筒状部５の軸線方向に短く、かつ雌コネクタ４の突条６と同じ高さを持ち、その突条６の戻り側フランク面（図２（ａ）では上向きの側面）と実質的に平行に傾斜しており、また雌コネクタ４の筒状部５が、各ロック突起７の両側に位置して筒状部５の軸線方向へ延在するスリット５ｂを有していない点でのみ、先の第１実施例と相違しており、他の点は先の第１実施例と同様に構成されているので、ここでは詳細な説明を省略する。
【００３７】
かかる構成を具えるこの第２実施例のロック式ルアーテーパーコネクタにあっては、先の実施例と同様、雌コネクタ４に雄コネクタ１の筒状部２を差し込んでルアーテーパーの接続面５ａ，２ａ同士を密に嵌合させることで、コネクタの気密な接続が達成される。また、雄コネクタ１の筒状部２の基部２ｂに回動可能に挿通されてその基部２ｂの外周フランジ２ｃとの掛合により軸線方向移動を規制されるナット３の二条ネジの雌ネジ３ａを、雌コネクタ４の筒状部５の先端部の２つの突条６に螺合させてそのナット３を締め込むことで、雄コネクタ１と雌コネクタ４との接続面５ａ，２ａ同士の密な嵌合が維持される。
【００３８】
そしてここではナット３の雌ネジ３ａと雌コネクタ４の突条６とのうちで突条６のみに設けられた２つのロック突起７が、それらナット３の雌ネジ３ａと雌コネクタ４の突条６との螺合状態でナット３の雌ネジ３ａの戻り側フランク面（図４（ｂ）では右向きの側面）に押圧され、その雌ネジ３ａの戻り側フランク面と密接して弾性的若しくは弾塑性的に変形しつつナット３と雌コネクタ４との相対回動に抵抗を与える。
【００３９】
従って、この実施例のロック式ルアーテーパーコネクタ並びにその雌コネクタ４によれば、ナット３と雄コネクタ１の筒状部２との一方が手で持たれたりして固定された状態で他方が捻られようとしても、あるいは雌コネクタ４と雄コネクタ１との一方が固定された状態で他方のコネクタまたはナット３に捻り力が加わっても、さらには雌コネクタ４が固定された状態で雄コネクタ１に捻り力が加わってナット３が雄コネクタ１と共回りしようとしても、ロック突起７がナット３と雌コネクタ４との相対回動に抵抗を与えるので雌コネクタ４に対してナット３が回動してしまうことがないため、ナット３の雌ネジ３ａと雌コネクタ４の突条６との螺合状態が緩んでコネクタの意図しない緩みや外れを生じてしまうのを防止することができる。
【００４０】
しかも、この実施例のロック式ルアーテーパーコネクタ並びにその雌コネクタ４によれば、ナット３を締め込むだけでロック突起７がナット３と雌コネクタ４との相対回動に抵抗を与えるので、コネクタの意図しない緩みや外れを防止するためにルアーテーパーコネクタの接続が不十分になるということもない。
【００４１】
さらに、この実施例のロック式ルアーテーパーコネクタによれば、ロック突起７は、雄コネクタ１と雌コネクタ４との両方でなく雌コネクタ４の突条６だけに設けられていることから、雄コネクタ１は通常のナット３を有する従来のもので済むので、従来の雄コネクタ１を用いてこの発明のロック式ルアーテーパーコネクタを構成し、この発明の効果を奏することができる。
【００４２】
図５（ａ），（ｂ）および（ｃ）は、この発明の第１の態様のロック式ルアーテーパーコネクタの第３実施例におけるこの発明の第１の態様の雌コネクタの一実施例の構成を示す平面図、正面図および縦断面図、また図６（ａ）および（ｂ）は、上記実施例のロック式ルアーテーパーコネクタにおける雌コネクタを背面側から見て示す斜視図およびその雌コネクタと通常の雄コネクタとの接続状態を示す縦断面図であり、図中、先の実施例と同様の部分はそれと同一の符号にて示す。
【００４３】
すなわち、この第３実施例のロック式ルアーテーパーコネクタは、ロック部としての２つのロック突起７がそれぞれ、雌コネクタ４の突条６の山頂面から蒲鉾状に突出している点でのみ、先の第２実施例と相違しており、他の点は先の第２実施例と同様に構成されているので、ここでは詳細な説明を省略する。
【００４４】
かかる構成を具えるこの第３実施例のロック式ルアーテーパーコネクタにあっては、先の実施例と同様、雌コネクタ４に雄コネクタ１の筒状部２を差し込んでルアーテーパーの接続面５ａ，２ａ同士を密に嵌合させることで、コネクタの気密な接続が達成される。また、雄コネクタ１の筒状部２の基部２ｂに回動可能に挿通されてその基部２ｂの外周フランジ２ｃとの掛合により軸線方向移動を規制されるナット３の二条ネジの雌ネジ３ａを、雌コネクタ４の筒状部５の先端部の２つの突条６に螺合させてそのナット３を締め込むことで、雄コネクタ１と雌コネクタ４との接続面５ａ，２ａ同士の密な嵌合が維持される。
【００４５】
そしてここではナット３の雌ネジ３ａと雌コネクタ４の突条６とのうちで突条６のみに設けられた２つのロック突起７が、それらナット３の雌ネジ３ａと雌コネクタ４の突条６との螺合状態でナット３の雌ネジ３ａの谷底面に押圧され、その雌ネジ３ａの谷底面と密接して弾性的若しくは弾塑性的に変形しつつナット３と雌コネクタ４との相対回動に抵抗を与える。
【００４６】
従って、この実施例のロック式ルアーテーパーコネクタ並びにその雌コネクタ４によれば、ナット３と雄コネクタ１の筒状部２との一方が手で持たれたりして固定された状態で他方が捻られようとしても、あるいは雌コネクタ４と雄コネクタ１との一方が固定された状態で他方のコネクタまたはナット３に捻り力が加わっても、さらには雌コネクタ４が固定された状態で雄コネクタ１に捻り力が加わってナット３が雄コネクタ１と共回りしようとしても、ロック突起７がナット３と雌コネクタ４との相対回動に抵抗を与えるので雌コネクタ４に対してナット３が回動してしまうことがないため、ナット３の雌ネジ３ａと雌コネクタ４の突条６との螺合状態が緩んでコネクタの意図しない緩みや外れを生じてしまうのを防止することができる。
【００４７】
しかも、この実施例のロック式ルアーテーパーコネクタ並びにその雌コネクタ４によれば、ナット３を締め込むだけでロック突起７がナット３と雌コネクタ４との相対回動に抵抗を与えるので、コネクタの意図しない緩みや外れを防止するためにルアーテーパーコネクタの接続が不十分になるということもない。
【００４８】
さらに、この実施例のロック式ルアーテーパーコネクタによれば、ロック突起７は、雄コネクタ１と雌コネクタ４との両方でなく雌コネクタ４の突条６だけに設けられていることから、雄コネクタ１は通常のナット３を有する従来のもので済むので、従来の雄コネクタ１を用いてこの発明のロック式ルアーテーパーコネクタを構成し、この発明の効果を奏することができる。
【００４９】
図７（ａ），（ｂ）および（ｃ）は、この発明の第１の態様のロック式ルアーテーパーコネクタの第４実施例におけるこの発明の第１の態様の雌コネクタの一実施例の構成を示す平面図、正面図および縦断面図、また図８（ａ）および（ｂ）は、上記実施例のロック式ルアーテーパーコネクタにおける雌コネクタを背面側から見て示す斜視図およびその雌コネクタと通常の雄コネクタとの接続状態を示す縦断面図であり、図中、先の実施例と同様の部分はそれと同一の符号にて示す。
【００５０】
すなわち、この第４実施例のロック式ルアーテーパーコネクタは、ロック部としての２つのロック突起７がそれぞれ、雌コネクタ４の突条６の進み側フランク面（図７（ａ）では下向きの側面）から筒状部５の先端面にかけて筒状部５の軸線方向に蒲鉾状に突出している点でのみ、先の第３実施例と相違しており、他の点は先の第３実施例と同様に構成されているので、ここでは詳細な説明を省略する。
【００５１】
かかる構成を具えるこの第４実施例のロック式ルアーテーパーコネクタにあっては、先の実施例と同様、雌コネクタ４に雄コネクタ１の筒状部２を差し込んでルアーテーパーの接続面５ａ，２ａ同士を密に嵌合させることで、コネクタの気密な接続が達成される。また、雄コネクタ１の筒状部２の基部２ｂに回動可能に挿通されてその基部２ｂの外周フランジ２ｃとの掛合により軸線方向移動を規制されるナット３の二条ネジの雌ネジ３ａを、雌コネクタ４の筒状部５の先端部の２つの突条６に螺合させてそのナット３を締め込むことで、雄コネクタ１と雌コネクタ４との接続面５ａ，２ａ同士の密な嵌合が維持される。
【００５２】
そしてここではナット３の雌ネジ３ａと雌コネクタ４の突条６とのうちで突条６のみに設けられた２つのロック突起７が、それらナット３の雌ネジ３ａと雌コネクタ４の突条６との螺合状態でナット３の雌ネジ３ａの進み側フランク面に押圧され、その雌ネジ３ａの進み側フランク面と密接して弾性的若しくは弾塑性的に変形しつつナット３と雌コネクタ４との相対回動に抵抗を与える。
【００５３】
従って、この実施例のロック式ルアーテーパーコネクタ並びにその雌コネクタ４によれば、ナット３と雄コネクタ１の筒状部２との一方が手で持たれたりして固定された状態で他方が捻られようとしても、あるいは雌コネクタ４と雄コネクタ１との一方が固定された状態で他方のコネクタまたはナット３に捻り力が加わっても、さらには雌コネクタ４が固定された状態で雄コネクタ１に捻り力が加わってナット３が雄コネクタ１と共回りしようとしても、ロック突起７がナット３と雌コネクタ４との相対回動に抵抗を与えるので雌コネクタ４に対してナット３が回動してしまうことがないため、ナット３の雌ネジ３ａと雌コネクタ４の突条６との螺合状態が緩んでコネクタの意図しない緩みや外れを生じてしまうのを防止することができる。
【００５４】
しかも、この実施例のロック式ルアーテーパーコネクタ並びにその雌コネクタ４によれば、ナット３を締め込むだけでロック突起７がナット３と雌コネクタ４との相対回動に抵抗を与えるので、コネクタの意図しない緩みや外れを防止するためにルアーテーパーコネクタの接続が不十分になるということもない。
【００５５】
さらに、この実施例のロック式ルアーテーパーコネクタによれば、ロック突起７は、雄コネクタ１と雌コネクタ４との両方でなく雌コネクタ４の突条６だけに設けられていることから、雄コネクタ１は通常のナット３を有する従来のもので済むので、従来の雄コネクタ１を用いてこの発明のロック式ルアーテーパーコネクタを構成し、この発明の効果を奏することができる。
【００５６】
図９（ａ）および（ｂ）は、この発明の第１の態様のロック式ルアーテーパーコネクタの第５実施例におけるこの発明の第１の態様の雄コネクタの一実施例のナットの構成を示す縦断面図およびそのナットを持つ雄コネクタと通常の雌コネクタとの接続状態を示す縦断面図であり、図中、従来例と同様の部分はそれと同一の符号にて示す。
【００５７】
すなわちこの第５実施例のロック式ルアーテーパーコネクタも、ルアーテーパー（６％テーパー）の裁頭円錐状の接続面２ａを外周面に持つ筒状部２を有するプラスチック製の雄コネクタ１と、ルアーテーパーの裁頭円錐状の接続面５ａを内周面に持つ筒状部５を有する雌コネクタ４とを具え、上記雄コネクタ１はまた、その雄コネクタ１の筒状部２の基部２ｂに回動可能に挿通されてその基部２ｂの外周フランジ２ｃとの掛合により軸線方向移動を規制されるとともに二条ネジの雌ネジ３ａを持つプラスチック製のナット３を有し、一方、上記雌コネクタ４はまた、その雌コネクタ４の筒状部５の先端部から互いに対抗する半径方向外方へ一体に突出するとともに各々周方向に延在する、二条ネジの雄ネジの一部としての２つの突条６を有し、そのナット３の二条ネジの雌ネジ３ａを雌コネクタ４の先端部の２本の突条６に螺合させてそのナット３を締め込むことで雄コネクタ１と雌コネクタ４との接続面２ａ，５ａ同士の密な嵌合を維持するようにしたものである。
【００５８】
しかしてこの第５実施例のロック式ルアーテーパーコネクタは、従来のものと異なり、雄コネクタ１のナット３の雌ネジ３ａが、そのナット３の雌ネジ３ａと雌コネクタ４の突条６との螺合状態でその突条６と密に掛合してナット３と雌コネクタ４との相対回動に抵抗を与えるロック部としての、例えば雌ネジ３ａのネジ山より低い高さの例えば段差状の２つのロック突起７を有しており、これらのロック突起７は、ナット３の雌ネジ３ａの戻り側フランク面（図９（ａ）では右向きの側面）からネジ底面に亘ってそれらと一体に突設されて、二条の雌ネジ３ａに沿ってそれぞれナット３の奥から中間部まで螺旋状に延在している。なお、ロック突起７をナット３の入口部に設けないのは、ナット３の雌ネジ３ａと雌コネクタ４の突条６との螺合をロック突起７で妨げられないようにして、その螺合を容易かつ確実にするためである。
【００５９】
かかる構成を具えるこの第５実施例のロック式ルアーテーパーコネクタにあっては、雌コネクタ４に雄コネクタ１の筒状部２を差し込んでルアーテーパーの接続面５ａ，２ａ同士を密に嵌合させることで、コネクタの気密な接続が達成される。また、雄コネクタ１の筒状部２の基部２ｂに回動可能に挿通されてその基部２ｂの外周フランジ２ｃとの掛合により軸線方向移動を規制されるナット３の二条ネジの雌ネジ３ａを、雌コネクタ４の筒状部５の先端部の２つの突条６に螺合させてそのナット３を締め込むことで、雄コネクタ１と雌コネクタ４との接続面５ａ，２ａ同士の密な嵌合が維持される。
【００６０】
そしてここではナット３の雌ネジ３ａと雌コネクタ４の突条６とのうちではナット３の雌ネジ３ａのみに設けられた２つのロック突起７が、それらナット３の雌ネジ３ａと雌コネクタ４の突条６との螺合状態で雌コネクタ４の突条６を押し込まれて弾性的若しくは弾塑性的に変形し、その突条６と密に掛合してナット３と雌コネクタ４との相対回動に抵抗を与える。
【００６１】
従って、この実施例のロック式ルアーテーパーコネクタ並びにその雄コネクタ１によれば、ナット３と雄コネクタ１の筒状部２との一方が手で持たれたりして固定された状態で他方が捻られようとしても、あるいは雌コネクタ４と雄コネクタ１との一方が固定された状態で他方のコネクタまたはナット３に捻り力が加わっても、さらには雌コネクタ４が固定された状態で雄コネクタ１に捻り力が加わってナット３が雄コネクタ１と共回りしようとしても、ロック突起７がナット３と雌コネクタ４との相対回動に抵抗を与えるので雌コネクタ４に対してナット３が回動してしまうことがないため、ナット３の雌ネジ３ａと雌コネクタ４の突条６との螺合状態が緩んでコネクタの意図しない緩みや外れを生じてしまうのを防止することができる。
【００６２】
しかも、この実施例のロック式ルアーテーパーコネクタ並びにその雄コネクタ１によれば、ナット３を締め込むだけでロック突起７がナット３と雌コネクタ４との相対回動に抵抗を与えるので、コネクタの意図しない緩みや外れを防止するためにルアーテーパーコネクタの接続が不十分になるということもない。
【００６３】
さらに、この実施例のロック式ルアーテーパーコネクタによれば、ロック突起７は、雄コネクタ１と雌コネクタ４との両方でなく雌コネクタ４の突条６だけに設けられていることから、雄コネクタ１は通常のナット３を有する従来のもので済むので、従来の雄コネクタ１を用いてこの発明のロック式ルアーテーパーコネクタを構成し、この発明の効果を奏することができる。
【００６４】
図１０（ａ），（ｂ）および（ｃ）は、この発明の第１の態様のロック式ルアーテーパーコネクタの第６実施例におけるこの発明の第１の態様の雄コネクタの一実施例のナットの構成を示す正面図並びに縦断面図およびそのナットを持つ雄コネクタと通常の雌コネクタとの接続状態を示す縦断面図であり、図中、先の第５実施例と同様の部分はそれと同一の符号にて示す。
【００６５】
すなわち、この第６実施例のロック式ルアーテーパーコネクタは、ロック部としての２つのロック突起７がそれぞれ、先に実施例におけるロック突起７と異なってネジ底面でなく二条の雌ネジ３ａのネジ山頂面にそれらと一体に突設されて、二条の雌ネジ３ａに沿ってそれぞれナット３の中間部で弓形に延在しており、またナット３が、各ロック突起７の両側に位置してナット３の軸線方向へ延在するスリット３ｂを有している点でのみ、先の第５実施例と相違しており、他の点は先の第５実施例と同様に構成されているので、ここでは詳細な説明を省略する。なお、ロック突起７をナット３の入口部に設けないのは、先の第５実施例と同様、ナット３の雌ネジ３ａと雌コネクタ４の突条６との螺合をロック突起７で妨げられないようにして、その螺合を容易かつ確実にするためである。
【００６６】
かかる構成を具えるこの第６実施例のロック式ルアーテーパーコネクタにあっては、雌コネクタ４に雄コネクタ１の筒状部２を差し込んでルアーテーパーの接続面５ａ，２ａ同士を密に嵌合させることで、コネクタの気密な接続が達成される。また、雄コネクタ１の筒状部２の基部２ｂに回動可能に挿通されてその基部２ｂの外周フランジ２ｃとの掛合により軸線方向移動を規制されるナット３の二条ネジの雌ネジ３ａを、雌コネクタ４の筒状部５の先端部の２つの突条６に螺合させてそのナット３を締め込むことで、雄コネクタ１と雌コネクタ４との接続面５ａ，２ａ同士の密な嵌合が維持される。
【００６７】
そしてここではナット３の雌ネジ３ａと雌コネクタ４の突条６とのうちでナット３の雌ネジ３ａのみに設けられた２つのロック突起７が、それらナット３の雌ネジ３ａと雌コネクタ４の突条６との螺合状態で雌コネクタ４の突条６および筒状部５を押し込まれて弾性的若しくは弾塑性的に変形し、それら突条６および筒状部５と密接してナット３と雌コネクタ４との相対回動に抵抗を与えるとともに、それら２つのロック突起７の半径方向外方にそれぞれ位置するナット３の部分を半径方向外方へ弾性変形可能として、突条６に螺合させたナット３の締め込みを容易なものとする。
【００６８】
従って、この実施例のロック式ルアーテーパーコネクタ並びにその雄コネクタ１によれば、ナット３と雄コネクタ１の筒状部２との一方が手で持たれたりして固定された状態で他方が捻られようとしても、あるいは雌コネクタ４と雄コネクタ１との一方が固定された状態で他方のコネクタまたはナット３に捻り力が加わっても、さらには雌コネクタ４が固定された状態で雄コネクタ１に捻り力が加わってナット３が雄コネクタ１と共回りしようとしても、ロック突起７がナット３と雌コネクタ４との相対回動に抵抗を与えるので雌コネクタ４に対してナット３が回動してしまうことがないため、ナット３の雌ネジ３ａと雌コネクタ４の突条６との螺合状態が緩んでコネクタの意図しない緩みや外れを生じてしまうのを防止することができる。
【００６９】
しかも、この実施例のロック式ルアーテーパーコネクタ並びにその雄コネクタ１によれば、ナット３を締め込むだけでロック突起７がナット３と雌コネクタ４との相対回動に抵抗を与えるので、コネクタの意図しない緩みや外れを防止するためにルアーテーパーコネクタの接続が不十分になるということもない。また、ロック突起７で押されたナット３の部分が半径方向外方へ弾性変形して逃げるので、突条６に螺合させたナット３を容易に締め込むことができる。
【００７０】
さらに、この実施例のロック式ルアーテーパーコネクタによれば、ロック突起７は、雄コネクタ１と雌コネクタ４との両方でなく雄コネクタ１のナット３の雌ネジ３ａだけに設けられていることから、雌コネクタ４は通常の突条６を有する従来のもので済むので、従来の雌コネクタ４を用いてこの発明のロック式ルアーテーパーコネクタを構成し、この発明の効果を奏することができる。
【００７１】
以上、この発明の第１の態様について図示例に基づき説明したが、この発明は上述の例に限定されるものでなく、特許請求の範囲の記載範囲内で適宜変更し得るものであり、例えば、上記第１の態様における第１乃至第６実施例では、ロック突起７を雄コネクタ１のナット３の雌ネジ３ａと雌コネクタ４の筒状部５の突条６との何れか一方に設けているが、ロック突起７をそれらの両方に設けても良い。
【００７２】
また、例えば、上記第１の態様における第１乃至第６実施例では、ロック部としてロック突起７を設けているが、それに加えて、ナット３の雌ネジ３ａと雌コネクタ４の突条６との螺合状態でそのロック突起７と弾塑性的に掛合してナット３と雌コネクタ４との相対回動に抵抗を与えるロック凹部を設けても良い。
【００７３】
さらに、上記第１の態様における第１乃至第６実施例では、ナット３は筒状部２の基部２ｂの外周フランジ２ｃに掛合しているが、筒状部２の基部２ｂが接続面２ａよりも細い場合には、その接続面２ａと基部２ｂとの段差部にナット３を掛合させるようにしても良い。
【００７４】
さらに、上記第１の態様における第１実施例では筒状部５にスリット５ｂを設け、上記第１の態様における第６実施例ではナット３にスリット３ｂを設けたが、これらの実施例の変形例としてスリットをなくしても良く、また、上記第１の態様における第２乃至第４実施例では筒状部５にスリットを設けず、上記第５実施例ではナット３にスリットを設けなかったが、これらの実施例の変形例としてスリットを設けても良い。
【００７５】
さらに、上記第１の態様における第１乃至第６実施例では、雌コネクタ４は筒状部５の先端部に通常の２つの突条６を有しているが、これらに代えて二条ネジの雄ネジを突条として筒状部５の先端部に例えば半周程度ずつ設けても良い。また、上記第１の態様における第１乃至第６実施例では、ナット３および雌コネクタ４は二条ネジを有しているが、ナットおよび雌コネクタの少なくとも一方は、相手方との適切な螺合が可能であれば三条以上の条数のネジを有していても良い。
【００７６】
図１１（ａ）および（ｂ）は、この発明の第２の態様のロック式ルアーテーパーコネクタの第１実施例におけるこの発明の第２の態様の雄コネクタの第１実施例のナットの構成を示す正面図および縦断面図、また図１１（ｃ）は、そのナットを有する雄コネクタと通常の雌コネクタとの接続状態を示す縦断面図であり、図中、従来例と同様の部分はそれと同一の符号にて示す。
【００７７】
すなわちこの第２の態様の第１実施例のロック式ルアーテーパーコネクタも、ルアーテーパー（６％テーパー）の裁頭円錐状の接続面２ａを外周面に持つ筒状部２を有するプラスチック製の雄コネクタ１と、ルアーテーパーの裁頭円錐状の接続面５ａを内周面に持つ筒状部５を有するプラスチック製の雌コネクタ４とを具え、上記雄コネクタ１はまた、その雄コネクタ１の筒状部２の基部の小径部２ｂに回動可能に挿通されてその基部の大径部としての外周フランジ２ｃとの掛合により軸線方向移動を規制される掛合部３ｅを持つとともに二条ネジの雌ネジ３ａを持つプラスチック製のナット３を有し、一方、上記雌コネクタ４はまた、その雌コネクタ４の筒状部５の先端部から互いに対抗する半径方向外方へ一体に突出するとともに各々周方向に延在する、二条ネジの雄ネジの一部としての２つの突条６を有しており、そのナット３の二条ネジの雌ネジ３ａを雌コネクタ４の先端部の２本の突条６に螺合させてそのナット３を締め込むことで雄コネクタ１と雌コネクタ４との接続面２ａ，５ａ同士の密な嵌合を維持するようにしたものである。
【００７８】
しかしてこの第１実施例のロック式ルアーテーパーコネクタは、従来のものと異なり、図１１（ｃ）に示すように、この発明の第２の態様の雄コネクタの第１実施例としての雄コネクタ１のナット３の掛合部３ｅが、雄コネクタ１の筒状部２の基部の小径部２ａに、その小径部２ａに対する充分な隙間を持って回動自在に遊挿されて、その基部の外周フランジ２ｃとの掛合により軸線方向移動を規制され、またナット３の掛合部３ｅと筒状部２の基部の外周フランジ２ｃとのうちナット３の掛合部３ｅが、その掛合部３ｅの外周フランジ２ｃに向く内側端面の半径方向内方端部に、図１１（ａ），（ｂ）に示すように、摩擦トルク軽減部としての断面略半円状の環状突条３ｃを有しており、この環状突条３ｃは、図１１（ｃ）に示すように、それらナット３の掛合部３ｅと筒状部２の基部の外周フランジ２ｃとの掛合状態で外周フランジ２ｃの端面に、ナット３の回転軸線からのトルク半径が小さくなる掛合部３ｅの半径方向内方端部に位置する僅かな面積の接触面で摺接して、筒状部２の基部の外周フランジ２ｃとの相対回動の摩擦トルクを軽減させる。
【００７９】
かかる構成を具えるこの第１実施例のロック式ルアーテーパーコネクタ並びにその雄コネクタ１にあっては、雌コネクタ４に雄コネクタ１の筒状部２を差し込んでルアーテーパーの接続面５ａ，２ａ同士を密に嵌合させることで、コネクタの気密な接続が達成される。また、雄コネクタ１の筒状部２の基部の小径部２ｂに回動可能に挿通されてその基部の外周フランジ２ｃとの掛合により軸線方向移動を規制される掛合部３ｅを持つナット３の二条ネジの雌ネジ３ａを、雌コネクタ４の筒状部５の先端部の２つの突条６に螺合させてそのナット３を雌コネクタ４に締め込むことで、雄コネクタ１と雌コネクタ４との接続面５ａ，２ａ同士の密な嵌合が維持される。
【００８０】
そしてここではナット３の掛合部３ｅが、雄コネクタ１の筒状部２の基部の小径部２ａに回動自在に遊挿され、かつ、雄コネクタ１のナット３の掛合部３ｅが有する摩擦トルク軽減部としての環状突条３ｃが、それらナット３の掛合部３ｅと筒状部２の基部の外周フランジ２ｃとの掛合状態での筒状部２との相対回動の摩擦トルクを軽減させる。
【００８１】
従って、この実施例のロック式ルアーテーパーコネクタ並びにその雄コネクタ１によれば、雄コネクタ１の筒状部２あるいはそこにつながれたチューブ等を誤って雌コネクタ４に対して捻ってしまっても、ナット３の掛合部３ｅが雄コネクタ１の筒状部２の基部の小径部２ａに回動自在に遊挿され、かつ、環状突条３ｃがナット３の掛合部３ｅと筒状部２の基部の外周フランジ２ｃとの相対回動の摩擦トルクを軽減させることから、雄コネクタ１の筒状部２とナット３との共回りが防止されるので、ナット３の雌ネジ３ａと雌コネクタ４の突条６との螺合状態が緩んでコネクタの意図しない緩みや外れが生ずるのを防止することができる。
【００８２】
しかも、この実施例のロック式ルアーテーパーコネクタ並びにその雄コネクタ１によれば、雄コネクタ１の筒状部２の基部の小径部２ａに遊挿したナット３を雌コネクタ４に締め込むだけで、そのナット３の遊挿された掛合部３ｅと環状突条３ｃとにより雄コネクタ１の筒状部２とナット３との共回りが防止されるので、コネクタの意図しない緩みや外れを防止するためにルアーテーパーコネクタの接続が不十分になったり雄コネクタ１が長くなったりするということもない。
【００８３】
さらに、この実施例のロック式ルアーテーパーコネクタ並びにその雄コネクタ１によれば、摩擦トルク軽減部は、ナット３の掛合部３ｅに、雄コネクタ１の筒状部２の基部の外周フランジ２ｃに向けて突設された環状突条３ｃによって構成されていることから、雄コネクタ１の筒状部２は、図１１（ｃ）に示すように従来のもので済み、雌コネクタ４も、図１１（ｃ）に示すように従来のもので済むので、この発明のロック式ルアーテーパーコネクタを安価に構成することができる。
【００８４】
図１２（ａ）および（ｂ）は、この発明の第２の態様のロック式ルアーテーパーコネクタの第２実施例におけるこの発明の第２の態様の雄コネクタの第２実施例のナットの構成を示す正面図および縦断面図、また図１２（ｃ）は、そのナットを有する雄コネクタと通常の雌コネクタとの接続状態を示す縦断面図であり、図中、先の実施例と同様の部分はそれと同一の符号にて示す。
【００８５】
すなわち、この実施例のロック式ルアーテーパーコネクタ並びにその雄コネクタ１は、摩擦トルク軽減部が、ナット３の掛合部３ｅの内側端面の段部に、雄コネクタ１の筒状部２の基部の大径部としての外周フランジ２ｃに向けて嵌め合わされて貼り付けられ、ナット３の掛合部３ｅの内側端面の内周端から上記段部に亘って延在する、低摩擦材としてのフッ素樹脂製のリング状低摩擦シート３ｄによって構成されている点でのみ、先の第１実施例と相違しており、他の点は先の第１実施例と同様に構成されているので、ここでは詳細な説明を省略する。
【００８６】
かかる構成を具えるこの第２の態様の第２実施例のロック式ルアーテーパーコネクタ並びにその雄コネクタ１によれば、先の実施例と同様、コネクタの気密な接続が達成されるとともに、ナット３を締め込むことで雄コネクタ１と雌コネクタ４との接続面５ａ，２ａ同士の密な嵌合が維持され、それに加えて、雄コネクタ１の筒状部２あるいはそこにつながれたチューブ等を誤って雌コネクタ４に対して捻ってしまっても、雄コネクタ１の筒状部２とナット３との共回りが防止されるので、ナット３の雌ネジ３ａと雌コネクタ４の突条６との螺合状態が緩んでコネクタの意図しない緩みや外れが生ずるのを防止することができ、コネクタの意図しない緩みや外れを防止するためにルアーテーパーコネクタの接続が不十分になったり雄コネクタ１が長くなったりするということもない。
【００８７】
さらにこの第２実施例のロック式ルアーテーパーコネクタ並びにその雄コネクタ１によれば、雄コネクタ１の筒状部２は、図１２（ｃ）に示すように従来のもので済み、雌コネクタ４も、図１２（ｃ）に示すように従来のもので済むので、この発明のロック式ルアーテーパーコネクタを安価に構成することができる。
【００８８】
図１３（ａ）および（ｂ）は、この発明の第２の態様のロック式ルアーテーパーコネクタの第３実施例におけるこの発明の第２の態様の雄コネクタの第３実施例の筒状部およびナットの構成を示す縦断面図、また図１３（ｃ）は、その筒状部およびナットを有する雄コネクタと通常の雌コネクタとの接続状態を示す縦断面図であり、図中、先の実施例と同様の部分はそれと同一の符号にて示す。
【００８９】
すなわち、この実施例のロック式ルアーテーパーコネクタ並びにその雄コネクタ１は、ナット３の掛合部３ｅと筒状部２の基部の外周フランジ２ｃとのうち筒状部２の基部の外周フランジ２ｃが、その外周フランジ２ｃのナット３の掛合部３ｅに向く端面の半径方向内方部分に、図１３（ａ）に示すように、摩擦トルク軽減部としての断面略半円状の環状突条２ｄを有している点でのみ、先の第１実施例と相違しており、他の点は先の第１実施例と同様に構成されているので、ここでは詳細な説明を省略する。
【００９０】
ここで、環状突条２ｄは、図１３（ｃ）に示すように、それらナット３の掛合部３ｅと筒状部２の基部の外周フランジ２ｃとの掛合状態でナット３の掛合部３ｅの内側端面に、ナット３の回転軸線からのトルク半径が小さくなる外周フランジ２ｃの半径方向内方部分に位置する僅かな面積の接触面で摺接して、ナット３の掛合部３ｅとの相対回動の摩擦トルクを軽減させる。
【００９１】
かかる構成を具えるこの第２の態様の第３実施例のロック式ルアーテーパーコネクタ並びにその雄コネクタ１によれば、先の実施例と同様、コネクタの気密な接続が達成されるとともに、ナット３を締め込むことで雄コネクタ１と雌コネクタ４との接続面５ａ，２ａ同士の密な嵌合が維持され、それに加えて、雄コネクタ１の筒状部２あるいはそこにつながれたチューブ等を誤って雌コネクタ４に対して捻ってしまっても、雄コネクタ１の筒状部２とナット３との共回りが防止されるので、ナット３の雌ネジ３ｂと雌コネクタ４の突条６との螺合状態が緩んでコネクタの意図しない緩みや外れが生ずるのを防止することができ、コネクタの意図しない緩みや外れを防止するためにルアーテーパーコネクタの接続が不十分になったり雄コネクタ１が長くなったりするということもない。
【００９２】
さらにこの第３実施例のロック式ルアーテーパーコネクタ並びにその雄コネクタ１によれば、雄コネクタ１のナット３は、図１３（ｂ）に示すように従来のもので済み、雌コネクタ４も、図１３（ｃ）に示すように従来のもので済むので、この発明のロック式ルアーテーパーコネクタを安価に構成することができる。
【００９３】
以上、この発明の第２の態様について図示例に基づき説明したが、この発明は上述の例に限定されるものでなく、特許請求の範囲の記載範囲内で適宜変更し得るものであり、例えば、上記第２の態様の第１乃至第３実施例では、摩擦トルク軽減部を雄コネクタ１の筒状部２の基部の大径部としての外周フランジ２ｃとナット３の掛合部３ｅとの何れか一方に設けているが、それらの両方に、例えば図２に示す摩擦トルク軽減部としてのリング状低摩擦シート３ｄと図３に示す摩擦トルク軽減部としての環状突条２ｄ等をそれぞれ設けても良い。
【００９４】
また、上記第２の態様の第１および第３実施例では、摩擦トルク軽減部として環状突条３ｃ，２ｄを設けているが、これらに代えて、周方向に互いに間隔を置いて配置された複数の突条その他の突起を設けても良い。
【００９５】
さらに、上記第２の態様の第１乃至第３実施例では、ナット３の掛合部３ｅは筒状部２の基部の外周フランジ２ｃに掛合しているが、筒状部２の基部の小径部２ｂが接続面２ａよりも細い場合には、その接続面２ａと小径部２ｂとの段差部にナット３の掛合部３ｅを掛合させるようにしても良い。
【００９６】
さらに、上記第２の態様の第１乃至第３実施例では、雌コネクタ４は筒状部５の先端部に通常の２つの突条６を有しているが、これらに代えて二条ネジの雄ネジを突条として筒状部５の先端部に例えば半周程度ずつ設けても良い。また、上記第１乃至第３実施例では、ナット３および雌コネクタ４は二条ネジを有しているが、ナットおよび雌コネクタの少なくとも一方は、相手方との適切な螺合が可能であれば三条以上の条数のネジを有していても良い。
【産業上の利用可能性】
【００９７】
かくしてこの発明の第１の態様のロック式ルアーテーパーコネクタ並びにその雄コネクタおよび雌コネクタによれば、ナットと雄コネクタとの一方が手で持たれたりして固定された状態で他方が捻られようとしても、あるいは雌コネクタと雄コネクタとの一方が固定された状態で他方のコネクタまたはナットに捻り力が加わっても、さらには雌コネクタが固定された状態で雄コネクタに捻り力が加わってナットが雄コネクタと共回りしようとしても、ロック部がナットと雌コネクタとの相対回動に抵抗を与えるので、雌コネクタに対してナットが回動してしまうことがないため、ナットの雌ネジと雌コネクタの突条との螺合状態が緩んでコネクタの意図しない緩みや外れを生じてしまうのを防止することができる。【００９８】
しかも、この発明の第１の態様のロック式ルアーテーパーコネクタ並びにその雄コネクタおよび雌コネクタによれば、ナットを締め込むだけでロック部がナットと雌コネクタとの相対回動に抵抗を与えるので、コネクタの意図しない緩みや外れを防止するためにルアーテーパーコネクタの接続が不十分になるということもない。【００９９】
また、この発明の第２の態様のロック式ルアーテーパーコネクタ並びにその雄コネクタによれば、雄コネクタの筒状部あるいはそこにつながれたチューブ等を誤って雌コネクタに対して捻ってしまっても、ナットの掛合部が雄コネクタの筒状部の基部の小径部に回動自在に遊挿され、かつ、摩擦トルク軽減部がナットの掛合部と筒状部の基部の大径部との相対回動の摩擦トルクを軽減させることから、雄コネクタの筒状部とナットとの共回りが防止されるので、ナットの雌ネジと雌コネクタの突条との螺合状態が緩んでコネクタの意図しない緩みや外れが生ずるのを防止することができる。【０１００】
しかも、この発明の第２の態様のロック式ルアーテーパーコネクタ並びにその雄コネクタによれば、雄コネクタの筒状部の基部の小径部に遊挿したナットを雌コネクタに締め込むだけで、そのナットの遊挿状態と摩擦トルク軽減部とにより雄コネクタの筒状部とナットとの共回りが防止されるので、コネクタの意図しない緩みや外れを防止するためにルアーテーパーコネクタの接続が不十分になったり雄コネクタが長くなったりするということもない。
【符号の説明】
【０１０１】
１  雄コネクタ
２  筒状部
２ａ  接続面
２ｂ  小径部
２ｃ  外周フランジ
２ｄ  環状突状
３  ナット
３ａ  雌ネジ
３ｂ  スリット
３ｃ  環状突状
３ｄ  低摩擦シート
３ｅ  掛合部
４  雌コネクタ
５  筒条部
５ａ  接続面
５ｂ  スリット
６  突条
７  ロック突起
【図１】
2013157610.tif 000003
【図２】
2013157610.tif 000004
【図３】
2013157610.tif 000005
【図４】
2013157610.tif 000006
【図５】
2013157610.tif 000007
【図６】
2013157610.tif 000008
【図７】
2013157610.tif 000009
【図８】
2013157610.tif 000010
【図９】
2013157610.tif 000011
【図１０】
2013157610.tif 000012
【図１１】
2013157610.tif 000013
【図１２】
2013157610.tif 000014
【図１３】
2013157610.tif 000015
【図１４】
2013157610.tif 000016
【国際調査報告】
2013157610.tif 000017
2013157610.tif 000018
2013157610.tif 000019
2013157610.tif 000020
2013157610.tif 000021
2013157610.tif 000022
2013157610.tif 000023